(57)【特許請求の範囲】
【請求項１】
扉の屋内側の面に取り付けられている既設の錠箱を覆う錠カバーであって、
該錠箱を構成する筺体にはサムターンが突設され、該サムターンを回動操作することで前記筺体の側面からデッドボルトを進退可能とし、且つノブのノブ軸が貫通して設けられ、
背面部を開口させた箱形状で、正面に貫通穴を有し該貫通穴から前記サムターンを貫通突出させるとともに、前記ノブ軸が貫通するノブ軸貫通穴を有し、且つ側面に前記デッドボルトを表出させる切欠部とを備えて前記筺体を覆い被着される本体カバーと、
軸線を中心とし先細のテーパ面よりなる円周側面を有し、前記サムターンに嵌合する嵌合穴が背面に形成され前記サムターンに相対回転不能となって同軸上に外挿されるとともに、前記本体カバーの貫通穴より外径の大きいフランジが軸線一端側の前記円周側面から張り出して形成され、該フランジが前記錠箱と前記本体カバーとの間に挟入して軸線他端側を前記貫通穴から抜脱不能に前記本体カバーより突出させるサムターンキャップと、
を具備するとともに、
前記筺体を扉面に固定する既設ネジを用いて、該筺体の上部と下部とにそれぞれ共締め固定し、該筐体の上下に延設される係止片を有する上下一対のブラケットと、
前記本体カバーの内壁の上面と下面とのそれぞれに形成され、前記各ブラケットの係止片に着脱自在に係止する上下一対の係止爪と、
前記ノブ軸に装着されるワッシャーと、
を具備し、
前記上下ブラケットを前記既設の錠箱の筐体に、既設ネジにて共締め固定したのち、前記サムターンキャップをサムターンに外挿し、前記ノブ軸からノブを取り外した状態で、前記ワッシャーを前記ノブ軸に装着して、前記本体カバーを前記筐体に被着して前記係止爪と係合片とを係止させて取り付け、前記貫通穴から前記サムターンキャップを突出させるとともに前記ノブ軸貫通穴よりノブ軸を突出させて、該ノブ軸に前記ノブを固定して、該ノブと前記デッドボルト以外を覆い、前記サムターンは前記サムターンキャップにて操作可能とすることを特徴とする錠カバー。
【請求項２】
請求項１記載の錠カバーにおいて、
前記サムターンキャップを前記サムターンから抜脱可能となるように前記筺体と前記本体カバーとの間で軸線方向に可動自在に設け、
かつ前記サムターンキャップを前記サムターンから抜脱する方向に付勢する付勢手段を前記サムターンと前記サムターンキャップとの間に配設し、
前記本体カバーの貫通孔の内面縁部に突片を設け、前記サムターンキャップのフランジに前記突片が嵌合する切欠を形成して、これら突片と切欠とを係脱自在とし、
前記付勢手段によって前記サムターンキャップが前記サムターンに対して抜脱付勢されている際には、前記突片と切欠とが嵌合状態となることを特徴とする錠カバー。
【発明の詳細な説明】
【０００１】
【発明の属する技術分野】
本発明は、扉の屋内側の面に取り付けた筺体にサムターンを突設し、このサムターンを回動操作することで筺体の側面からデッドボルトを進退可能にした錠箱を覆う錠カバーに関する。
【０００２】
【従来の技術】
例えばサムターン付きの錠装置には、扉の屋内側の面に錠箱を表出させて取り付けるタイプのものがある。この錠箱には、扉の屋外側に表出するシリンダー錠と、扉の屋内側に表出する回転式のサムターンとが設けられている。
錠箱には、ロック部材である例えばデッドボルトが側面から進退自在に設けられている。
この種の錠装置では、屋外側に表出したシリンダー錠の鍵孔に、合鍵（キー）を挿入して回転操作することによって、デッドボルトが進退され、開口枠に設けたストライクに対して施解錠が行われるようになっている。
また、屋内側からは、サムターンが回転操作されるのみで、デッドボルトが進退され、扉の施解錠が簡便に行えるようになっている。
【０００３】
【発明が解決しようとする課題】
マンションや住宅の玄関扉には、高級感や優美性を高める目的で、ガラス板を嵌め込んだ小窓付のものがある。
【０００４】
ところが、このような扉の小窓や壁部分の小窓は、ガラス板が割られると、外部から、手を差し入れてサムターンを不正に操作したり、先端を鉤状に曲げた針金等を挿入して、サムターンが不正に操作されてしまう虞れがある。
すなわち、扉に多用される回転式のサムターンには、屋内側に露出する摘み部が楕円形状のものがあり、これに針金の鉤状先端を掛止すれば、回転モーメントを与えることができ、不正な解錠操作が可能となる場合がある。
【０００５】
また、この種のサムターンは、小窓の無い扉においても、針金を挿入する隙間や郵便受け等の開口部があれば、同様に不正解錠される虞れがあった。これに対し、錠装置を防犯性の高いものと交換することも考えられるが、上記した従来の錠装置の場合、一般的にドアノブ、ラッチボルト等とも一体の構造となっているため、交換作業が大掛かりとなり、交換費用も増大する問題があった。
【０００６】
本発明は上記状況に鑑みてなされたもので、屋外側から手や針金等を挿入することによる不正な解錠操作を防止することのでき、しかも、安価に製作することのできる錠カバーを提供し、もって、既設錠装置の防犯性向上を図ることを目的とする。
【０００７】
【課題を解決するための手段】
次に、上記の課題を解決するための手段を、実施の形態に対応する図面を参照して説明する。
この発明の請求項１記載の錠カバー２１は、扉の屋内側の面に取り付けられている既設の錠箱１を覆う錠カバー２１であって、
該錠箱１を構成する筺体３にはサムターン９が突設され、該サムターン９を回動操作することで前記筺体３の側面からデッドボルト１７を進退可能とし、且つノブ１５のノブ軸１３が貫通して設けられ、
背面部を開口させた箱形状で、正面に貫通穴２９を有し該貫通穴２９から前記サムターン９を貫通突出させるとともに、前記ノブ軸１３が貫通するノブ軸貫通穴３１を有し、且つ側面に前記デッドボルト１７を表出させる切欠部３３とを備えて前記筺体３を覆い被着される本体カバー２３と、
軸線７を中心とし先細のテーパ面よりなる円周側面３５を有し、前記サムターン９に嵌合する嵌合穴２５ａが背面に形成され前記サムターン９に相対回転不能となって同軸上に外挿されるとともに、前記本体カバー２３の貫通穴２９より外径の大きいフランジ３７が軸線一端側の前記円周側面３５から張り出して形成され、該フランジ３７が前記錠箱１と前記本体カバー２３との間に挟入して軸線他端側を前記貫通穴２９から抜脱不能に前記本体カバー２３より突出させるサムターンキャップ２５と、
を具備するとともに、
前記筺体３を扉面に固定する既設ネジ５を用いて、該筺体３の上部と下部とにそれぞれ共締め固定し、該筐体３の上下に延設される係止片４３を有する上下一対のブラケット２７と、
前記本体カバー２３の内壁の上面と下面とのそれぞれに形成され、前記各ブラケット２７の係止片４３に着脱自在に係止する上下一対の係止爪４７と、
前記ノブ軸１３に装着されるワッシャー４９と、
を具備し、
前記上下ブラケット２７を前記既設の錠箱１の筐体３に、既設ネジ５にて共締め固定したのち、前記サムターンキャップ２５をサムターン９に外挿し、前記ノブ軸１３からノブ１５を取り外した状態で、前記ワッシャー４９を前記ノブ軸１３に装着して、前記本体カバー２３を前記筐体３に被着して前記係止爪４７と係合片４３とを係止させて取り付け、前記貫通穴２９から前記サムターンキャップ２５を突出させるとともに前記ノブ軸貫通穴３１よりノブ軸１３を突出させて、該ノブ軸１３に前記ノブ１５を固定して、該ノブ１５と前記デッドボルト１７以外を覆い、前記サムターン９は前記サムターンキャップ２５にて操作可能とすることを特徴とする。
【０００８】
この錠カバー２１では、既設のサムターン９がサムターンキャップ２５に覆われた状態で屋内側へ突出することになり、外周面に回転方向の引っ掛かり部がなくなる。これにより、先端を鉤状に折り曲げた針金等を使用しても、サムターンキャップ２５、つまりはサムターン９を回転操作することができなくなる。
また、既設錠装置に簡素な構造の本体カバー２３とサムターンキャップ２５を取り付けるのみなので、錠装置を交換する場合に比べ、安価にしかも容易に防犯性が高められる。
さらに、既設の錠箱１やサムターン９を、新規な本体カバー２３やサムターンキャップ２５によって覆うので、既設錠装置の見栄えを良くし、デザイン性を向上させることもできる。そして、退居時には、取り外すことのみによって、元の錠装置を容易に復元できる。
【０００９】
また、この錠カバー２１によれば、サムターンキャップ２５に、本体カバー２３の貫通穴２９より外径の大きいフランジ３７が軸線一端側の前記円周側面３５から張り出して形成されているので、貫通孔２９からの抜脱が阻止される。
【００１０】
また、この錠カバー２１では、ブラケット２７を、筺体３の既設ネジ５を用いて筺体３の上下に共締め固定し、このブラケット２７を介して本体カバー２３を筺体３に被着するので、既設の錠箱１に新たなネジ穴を形成する必要がなく、ドライバ工具のみを用いて短時間にしかも容易に既設錠装置へ取り付けが可能となる。
さらに、この錠カバー２１では、サムターン９に並設されているノブ１５のノブ軸１３が貫通するように構成されており、すなわち、このノブ１５とデッドボルト１７以外の筐体３及びサムターン９を覆うよう構成されている。これにより、サムターンキャップ２５が脱落することなく錠カバー２１に保持されて、錠箱１に取り付けられることとなる。
また、ワッシャー４９をノブ軸１３に装着することで、本体カバー２３を取り付けることによるノブ軸１３とノブ１５との取付状態がノブ軸貫通穴３１との摩擦を軽減してガタツクをなくすようになる。
【００１１】
請求項２記載の錠カバー２１は、請求項１記載の錠カバー２１において、
前記サムターンキャップ２５を前記サムターン９から抜脱可能となるように前記筺体３と前記本体カバー２３との間で軸線７方向に可動自在に設け、
かつ前記サムターンキャップ２５を前記サムターン９から抜脱する方向に付勢する付勢手段５１を前記サムターン９と前記サムターンキャップ２５との間に配設し、
前記本体カバー２３の貫通穴２９の内面縁部に突片５４を設け、前記サムターンキャップ２５のフランジ３７に前記突片５４が嵌合する切欠５５を形成して、これら突片５４と切欠５５とを係脱自在とし、
前記付勢手段５１によって前記サムターンキャップ２５が前記サムターン９に対して抜脱付勢されている際には、前記突片５４と切欠５５とが嵌合状態となることを特徴とする。
【００１２】
この錠カバー２１では、サムターンキャップ２５の操作力をサムターン９に伝達するには、サムターンキャップ２５を軸線方向に押し、サムターンキャップ２５をサムターン９に外挿しなければならない。
従って、仮に小窓を割るなどして手を差し入れ、サムターンキャップ２５を不正に操作しようとしても、サムターンキャップ２５を押し込みながら回転操作しなくてはならず、不正な操作を困難にすることができる。
さらに、ガラスを割った小窓や郵便受け等から針金を挿入することによりサムターンキャップ２５を不正に操作しようとしても、サムターン９と嵌合状態ではなく、且つ、突片５４と切欠５５とが嵌合していることから、サムターンキャップ２５は回転不能となり、サムターン９を回動させることができない。これにより、錠カバー２１の防犯性がさらに高まる。
【００１３】
【発明の実施の形態】
以下、本発明に係る錠カバーの好適な実施の形態を図面を参照して詳細に説明する。
図１は本発明に係る錠カバーの説明図で（ａ）は錠箱とともに表した分解斜視、（ｂ）はサムターンキャップの背面視を示し、図２は図１に示した錠カバーの平面図、図３は図２の側面図、図４は図２の本体カバー内を透視した図、図５は図４の側面図である。
【００１４】
図１に示すように、扉の屋内側の面には、錠箱１が露出して取り付けられている。錠箱１は、本体が扁平な略方形箱形状の筺体３からなる。筺体３の屋内側の面には、筺体３を扉に固定するため、或いは筺体３の蓋体を固定する等のための複数、本実施の形態では四つの既設ネジ５を四隅に螺合している。
筺体３の屋内側の面からは、この面に垂直方向の中心軸７回りに回動するサムターン９が突出している。サムターン９は、扁平な略楕円柱形状となっている。
【００１５】
また、筺体３からは、サムターン９より下方に、サムターン９と同軸方向の中心軸１１回りに回動するノブ軸１３を屋内側及び屋外側に突出している。ノブ軸１３の長手方向両端には、ノブ１５が取り付けられる。
ノブ１５は、軸部１５ａに突設した図示しない凸部を、ノブ軸１３の切欠１３ａに係合することでノブ軸１３と相対回転を規制して、さらに図示しない固定ビスを半径方向に螺合して、ノブ軸１３に固定される。つまり、ノブ１５は、固定ビスの螺合・螺合解除によってノブ軸１３から着脱可能となっている。
【００１６】
筺体３の側面からは、デッドボルト１７、ラッチボルト１９が進退自在となっている。錠箱１は、筺体３内に図示しない機構部を有している。デッドボルト１７は、扉の屋外側の面に設けた図示しないシリンダー錠をキーによって、又はサムターン９を回動することによって、機構部を介して筺体３の側面から進退される。また、ラッチボルト１９は、ノブ１５の回動操作によって、機構部を介して筺体３の側面から進退されるようになっている。筺体３から突出したデッドボルト１７、ラッチボルト１９は、図示しない扉枠に設けたストライク、トロヨケに進入して、扉の開動を規制する。
【００１７】
このようにして扉の屋内側の面に表出した錠箱１には、本実施の形態による錠カバー２１が図２に示すように屋内側から取り付けられる。錠カバー２１は、本体カバー２３と、サムターンキャップ２５と、ブラケット２７とを主要構成部材として有している。
【００１８】
本体カバー２３は、背面部を開口させた箱形状であり、合成樹脂製や金属製とすることができる。本体カバー２３は、貫通孔２９を有し、この貫通穴２９からサムターン９を突出させて筺体３に被着される。
【００１９】
また、本体カバー２３には、錠箱１に取り付けられた際、正面にノブ軸１３が貫通するノブ軸貫通穴３１と、側面に図３に示すようなデッドボルト１７及びラッチボルト１９を表出させる切欠部３３とが形成されている。
【００２０】
サムターンキャップ２５は、軸線を中心とした円周側面３５を有し、サムターン９に相対回転不能となって同軸上に外挿される。すなわち、サムターンキャップ２５の背面には、図１（ｂ）に示すように、サムターン９と嵌合する略楕円形状の嵌合穴２５ａを形成してあり、この嵌合穴２５ａをサムターン９に嵌合させることでサムターン９との相対回転が不能となる。
【００２１】
サムターンキャップ２５の円周側面３５は、円柱の外周面形状であってもよく、また円錐の外周面形状であってもよい。本実施の形態による円周側面３５は、後者、すなわち、円錐の外周面形状である先細のテーパ面となっている。
これにより、サムターンキャップ２５は、外周面に回転方向への引っ掛かり部がなくなり、先端を鉤状に折り曲げた針金を使用しても、外周面に鉤状部を引っ掛けて、回転させることができなくなっている。
【００２２】
さらに、サムターンキャップ２５は、円周側面３５に、ローレットや粗面を形成し、滑り止めすることにより、手指で摘んだ際の回動操作性が高められるようになっている。
【００２３】
サムターンキャップ２５の軸線一端側には、円周側面３５から張り出した凸部であるフランジ３７を設けている。サムターンキャップ２５は、嵌合穴２５ａをサムターン９に外挿し、本体カバー２３が錠箱１に被せられることで、フランジ３７が錠箱１と本体カバー２３との間に挟入され、軸線他端側を貫通孔２９から抜脱不能にして突出させる。つまり、サムターンキャップ２５は、貫通孔２９より外径の大きいフランジ３７によって、貫通孔２９からの抜脱が阻止される。
【００２４】
ブラケット２７は、長板状の基板部４１に、断面が略Ｌ字状の係止片４３を折り曲げてなる。基板部４１の両端には既設ネジ５を共締めするためのＵ字状の切欠４５を設けている。
ブラケット２７は、図４に示すように、錠箱１の上下にそれぞれ固定する。ブラケット２７の固定は、筺体３の既設ネジ５を一旦緩め、この既設ネジ５に切欠４５を挿入し、上部のブラケット２７の係止片４３が上側、下部のブラケット２７の係止片４３が下側を向くようにして筺体３に共締め固定する。
【００２５】
本体カバー２３の内壁の上面と下面には、係止片４３に係止する図５に示す係止爪４７を設けている。従って、ブラケット２７を固定した錠箱１に対し、本体カバー２３を被せ、ブラケット２７の係止片４３を係止爪４７が乗り越えるように本体カバー２３を扉面に垂直に押込むことで、係止爪４７と係止片４３とが係止して、本体カバー２３がブラケット２７を介して筺体３に被着できるようになっている。
【００２６】
なお、本体カバー２３を筺体３に取り付ける際には、予めサムターンキャップ２５をサムターン９に外挿し、ノブ１５をノブ軸１３から外しておく。また、ノブ軸１３には、ノブ軸貫通穴３１との摩擦を軽減してガタツキをなくすワッシャー４９を挿入する。
そして、本体カバー２３を被着した後に、ノブ軸貫通穴３１から突出したノブ軸１３の先端に、再びノブ１５を固定する。
この状態で錠箱１への錠カバー２１の取り付けが完了する。
【００２７】
一方、錠カバー２１を錠箱１から取り外すには、ノブ１５をノブ軸１３から外し、本体カバー２３を上方又は下方へ押圧することにより、ブラケット２７を弾性変形させて移動方向側の係止片４３と係止爪４７との係止を解除する。このようにして一方の係止を解除した後、他方の係止を解除して本体カバー２３を錠箱１から外す。
また、サムターンキャップ２５は、本体カバー２３を外した後には、引き抜くことのみでサムターン９から外すことができる。そして、ノブ軸１３にノブ１５を再装着することで元の錠箱１に復元される。
【００２８】
このように、上記の錠カバー２１によれば、既設のサムターン９がサムターンキャップ２５に覆われた状態で屋内側へ突出することになり、外周面に回転方向の引っ掛かり部がなくなる。これにより、先端を鉤状に折り曲げた針金等を使用しても、サムターンキャップ２５、つまりはサムターン９を回転操作することができなくなる。
【００２９】
また、既設錠装置に簡素な構造の本体カバー２３とサムターンキャップ２５を取り付けるのみなので、錠装置を交換する場合に比べ、安価にしかも容易に防犯性が高められる。
さらに、既設の錠箱１やサムターン９を、新規な本体カバー２３やサムターンキャップ２５によって覆うので、既設錠装置の見栄えを良くし、特に本体カバー２３に固定用のネジ等が表出しないのでデザイン性を向上させることができる。そして、退居時には、取り外すことのみによって、元の錠装置を容易に復元することができる。
【００３０】
また、この錠カバー２１では、ブラケット２７を、筺体３の既設ネジ５を用いて筺体３に共締め固定し、このブラケット２７を介して本体カバー２３を筺体３に被着するので、既設の錠箱１に新たなネジ穴を形成する必要がなく、ドライバ工具のみを用いて短時間にしかも容易に既設錠装置へ取り付けが可能となる。
【００３１】
次に、上記した実施の形態に係る錠カバーの変形例を説明する。
図６は本発明に係る錠カバーの変形例の要部分解斜視図、図７は変形例に係る錠カバーの通常時の状態を表す側面図、図８は変形例に係る錠カバーのサムターンキャップ押込み時の状態を表す側面図である。
【００３２】
この変形例では、サムターンキャップ２５をサムターン９から抜脱可能となるように、筺体３と本体カバー２３との間で軸線７方向に可動自在に設けている。すなわち、サムターンキャップ２５と錠箱１とには、間隙５３を設けている。そして、サムターンキャップ２５をサムターン９から抜脱する方向に付勢する図６に示す付勢手段としてのコイルバネ５１を、サムターン９とサムターンキャップ２５との間に配設している。
【００３３】
従って、通常時には、図７に示すように、サムターンキャップ２５はコイルバネ５１の付勢力によってサムターン９から抜脱された位置となり、嵌合穴２５ａがサムターン９から離脱して、空転状態となる。
一方、サムターンキャップ２５をコイルバネ５１の付勢力に抗して押圧すると、図８に示すように、サムターンキャップ２５の嵌合穴２５ａがサムターン９に嵌合し、サムターンキャップ２５とサムターン９とが相対回転不能となり、サムターンキャップ２５の回転操作がサムターン９に伝達されるようになる。
【００３４】
この変形例による錠カバーによれば、サムターンキャップ２５の操作力をサムターン９に伝達するには、サムターンキャップ２５を軸線方向に押し込み、サムターンキャップ２５をサムターン９に外挿しなければならない。
従って、仮に小窓を割るなどして手を差し入れ、サムターンキャップ２５を不正に操作しようとしても、サムターンキャップ２５を押しながら回転操作しなくてはならず、不正操作を困難にすることができる。
【００３５】
さらに、ガラスを割った小窓や郵便受け等から針金を挿入することによりサムターンキャップ２５を不正に操作しようとしても、サムターンキャップ２５のみが空転することとなり、解錠を行うことができない。これにより、錠カバー２１の防犯性をさらに高めることができる。
【００３６】
なお、図６に示すように、本体カバー２３の貫通孔２９の内面縁部の一部または複数箇所に突片５４を設け、サムターンキャップ２５のフランジ３７に突片５４に対応する切欠５５を形成して、これらが互いに嵌合する構成としてもよく、すなわち、サムターン９の向きとサムターンキャップ２５の向きとを一致させ、互いを相対回転不能に嵌合状態とする際の案内を行うようにしてもよい。この場合、サムターン９は、９０度回動することで施錠状態と解錠状態とになることから、突片５４を貫通孔２９の内面縁部における９０度間隔に設け、切欠５４をフランジ３７における周方向９０度間隔に形成するとよい。そして、このような構成とすることで、サムターン９に対してサムターンキャップ２５がコイルバネ５１によって付勢されている状態では、突片５４と切欠５５とは嵌合状態であり、本体カバー２３に対してサムターンキャップ２５が回動不能な状態となる。
【００３７】
【発明の効果】
以上説明したように、本発明に係る請求項１の錠カバーによれば、貫通穴からサムターンを突出させて筺体に被着される本体カバーと、円周側面を有しサムターンに相対回転不能に外挿され貫通穴から抜脱不能に突出するサムターンキャップとによって構成したので、既設のサムターンがサムターンキャップに覆われた状態で屋内側へ突出することになり、外周面に回転方向の引っ掛かり部がなくなり、先端を鉤状に折り曲げた針金等を使用しても、サムターンキャップ、つまりはサムターンを回転操作することができなくなる。この結果、ガラスを割った小窓や郵便受け等から手や針金を挿入することによるサムターンの不正操作が防止でき、既設錠装置に対する防犯性を高めることができる。また、既設錠装置に簡素な構造の本体カバーとサムターンキャップを取り付けるのみなので、錠装置を交換する場合に比べ、安価にしかも容易に防犯性を高めることができる。さらに、既設の錠箱やサムターンを、新規な本体カバーやサムターンキャップによって覆うことができるので、既設錠装置の見栄えを良く、デザイン性を向上させることができる。そして、退居時には、取り外すことのみによって、元の錠装置を容易に復元することができる。
【００３８】
また、この錠カバーによれば、サムターンキャップに、本体カバーの貫通穴より外径の大きいフランジが軸線一端側の前記円周側面から張り出して形成されているので、貫通孔からの抜脱が阻止される。また、この錠カバーによれば、係止片を有するブラケットを、筺体の既設ネジを用いてこの筺体の上下に共締め固定し、ブラケットの係止片に係止する係止爪を本体カバーの内壁の上面と下面とに形成し、それぞれの係止爪と係止片とを係止することで本体カバーを筺体に被着したので、既設の錠箱に新たなネジ穴を形成する必要がなく、ドライバ工具のみを用いて短時間にしかも容易に既設錠装置へ取り付けることができる。
さらに、この錠カバーでは、サムターンに並設されているノブのノブ軸が貫通するように構成されており、すなわち、このノブとデッドボルト以外の筐体及びサムターンを覆うよう構成されている。これにより、サムターンキャップが脱落することなく錠カバーに保持されて、錠箱に取り付けられることとなる。
また、ワッシャーをノブ軸に装着することで、本体カバーを取り付けることによるノブ軸とノブとの取付状態がノブ軸貫通穴との摩擦を軽減してガタツクをなくすようになる。
【００３９】
請求項２の錠カバーによれば、サムターンキャップを軸線方向に可動自在に設け、かつサムターンキャップをサムターンから抜脱する方向に付勢する付勢手段をサムターンとサムターンキャップとの間に配設したので、サムターンキャップの操作力をサムターンに伝達するには、サムターンキャップを押し、サムターンキャップをサムターンに外挿しなければならないため、仮に小窓等を割り手を差し入れてサムターンキャップを不正に操作しようとしても、サムターンキャップを押しながら回転操作しなくてはならず、不正操作を困難にすることができる。さらに、ガラスを割った小窓や郵便受け等から針金を挿入することによりサムターンキャップを不正に操作しようとしても、サムターンと嵌合状態ではなく、且つ、突片と切欠とが嵌合していることから、サムターンキャップは回転不能となり、サムターンを回動させることができない。これにより、錠カバーの防犯性がさらに高まる。
【図面の簡単な説明】
【図１】本発明に係る錠カバーの説明図で（ａ）は錠箱とともに表した分解斜視、（ｂ）はサムターンキャップの背面視を示す。
【図２】図１に示した錠カバーの平面図である。
【図３】図２の側面図である。
【図４】図２の本体カバー内を透視した図である。
【図５】図４の側面図である。
【図６】本発明に係る錠カバーの変形例の要部分解斜視図である。
【図７】変形例に係る錠カバーの通常時の状態を表す側面図である。
【図８】変形例に係る錠カバーのサムターンキャップ押込み時の状態を表す側面図である。
【符号の説明】
１…錠箱
３…筺体
５…既設ネジ
７…軸線
９…サムターン
１７…デッドボルト
２１…錠カバー
２３…本体カバー
２５…サムターンキャップ
２７…ブラケット
２９…貫通孔
３５…円周側面
３７…凸部（フランジ）
４３…係止片
４７…係止爪
５１…付勢手段（コイルバネ）
【図１】
0004128361.tif 000002
【図２】
0004128361.tif 000003
【図３】
0004128361.tif 000004
【図４】
0004128361.tif 000005
【図５】
0004128361.tif 000006
【図６】
0004128361.tif 000007
【図７】
0004128361.tif 000008
【図８】
0004128361.tif 000009